(57)【要約】      （修正有）【課題】サイフォンの原理を利用し、間欠給水、満水即排水を実施することにより養液栽培プランター内を、土耕栽培に近い根圏の環境（団粒構造）を再現する方法を提供する。【解決手段】養液調整貯水タンク３の養液を設定されたタイマー、センサーによりポンプ４が作動し逆支弁５を通り最上部栽培プランターイに養液が供給され、サイフォン菅１の管内の空気が養液液面の高さにより排気され、排出された養液は二段目栽培プランターロ、三段目栽培プランターハ、四段目栽培プランター二に供給、排水が行われ、格段ごとにサイフォンの効果で、自動的に給排水が繰り返される養液栽培プランターである。【選択図】図１
2014045769.tif 000002
【特許請求の範囲】
【請求項１】
サイフォン菅を取り付けた養液栽培プランター
【発明の詳細な説明】
【技術の分野】
【０００１】本発明は、植物養液栽培装置に関する
【技術の背景】
【０００２】従来の、植物養液栽培システムにおいて、栽培養液は、栽培プランター内養液の水位（水深）は排水口の高さで決まり、排水口の高さを調整することにより、一定の高さで管理されていた。
栽培プランターに勾配をつけて流れを早くしても、栽培目的の植物に対し、植物の根（毛根、水根）を経由して、栄養素の養分が吸収されており、栽培プランターの養液中に常に根が浸かった状態で栽培されているので、イモ類、根菜類、薬草類の栽培は困難であった。
噴霧式養液栽培技術でも、ごぼう、人参、芋など、植物本来の形状が出来ずに毛根状態になり、栽培植物の形体が出来なかった。
イモ類、根菜類、薬草類の栽培期間中は、従来の養液栽培技術では、排水口の高さを調整しないと植物の根が常に養液の中に浸っている状態であり成長が出来なかった、成長を促す為には、常に根が養液に浸かる状態を回避するか、排水し栽培作物の根圏の酸素供給環境が必要であり、適度な水分も必要である為に、土耕栽培の団粒構造環境を養液栽培プランター内に構築する必要がある。イモ類、根菜類、薬草類の地下系植物養液栽培において、養液の中に、根が浸って，腐り、栽培が困難であった。以上の問題を解決する手段である。
参考文献
Ｈｙｄｒｏｐｏｎｉｃ  Ｓｏｃｉｅｔｙ  ｏｆ  Ｊａｐａｎ（日本養液研究会  養液栽培用用語解説  イラスト版）
【発明の開示】
【０００３】
【発明が解決しようとする課題】
【０００４】従来の養液栽培プランターでは、いかなる培地等を使用しても土耕栽培のような根圏環境の構築は困難であった。養液栽培で、プランター内に土耕栽培と同じ条件の団粒構造環境が出来れば、イモ類、根菜類、薬草類の栽培が可能となる。従来の栽培プランター内の養液の水位を深く管理栽培する方法「ＤＦＴ」方式、栽培プランター内の養液の水位を浅く管理栽培する方法「ＮＦＴ」方式、栽培プランターを設けず、作物の根圏に霧状に養液を噴霧する、養液噴霧栽培方式があるが、いずれの栽培方式もイモ類、根菜類、薬草類の栽培が困難である。土耕栽培に近い団粒構造を養液栽培で再現することが課題となる。
【課題を解決するための手段】
【０００５】養液栽培方法で本発明は、サイフォンの原理を利用し、間欠給水、満水即排水を実施することにより養液栽培プランター内を、土耕栽培に近い根圏の環境（団粒構造）を再現する方法である。
養液栽培方法で、土耕栽培に近い、根圏環境を構築することにより、イモ類、根菜類、薬草類を栽培する事が可能となる。栽培植物に必要なとき、設定された不定期に栽培プランター内に養液が送液され、満水と同時に一機に排水が実施されるので、養液と水分の供給が栽培プランター内に短時間の内に行なわれる。養液貯蔵タンクの養液が、ポンプにより、栽培プランターに送液されて、プランターの養液水位が上がり、サイフォンの最上部までプランター内の養液が到達と同時に、サイフォン菅内の空気が排気され、サイフォン館内が養液で満たされる、この時点で、サイフォンの原理で栽培プランター内の養液がサイフォンの最下部まで、液面差が生じて一機に排水され、プランター内の水位が、サイフォン最下部吸水口の高さまで、水位が下がり、栽培プランター内の養液が排水されて、根の周りの表面水、栽培培地の保水力が無くなるまで、次の養液給水が必要なく、給水延長可能な、間欠式養液管理方法である。
プランター内の、養液の最高水位は、サイフォン菅の最頂部の高さで決まり、プランター内の、養液の最下位は、サイフォン菅の吸水口の高さで決まる、よってサイフォン菅の最頂部の高さ、サイフォン菅の吸水口の高さを変えることにより、栽培プランター、養液の、最高水位、最低水位が設定可能である。脱着式にすることにより各種サイズを用意して、栽培品種、植物の成長に合わせて交換できる。
フレキシブル構造のサイフォン菅により、プランター内の養液の最頂部、最下部を、サイフォンを交換することなく、フレキシブルサイフォン菅の形状を変えることにより、最高水位、最低水位置を任意の高さに変えることが出来る。
保水性のある、栽培培地を使う事により、養液給水間隔の延長が可能である。
栽培プランター内の、給水タイミングは、タイマー、プランター内の湿度計によりにより任意な時間を設定可能である、実施例として、ジャガイモを栽培する場合、発芽時点では、１２時間に１回給水、開花時期には、３日に１回給水、収穫期には、１週間に１回給水、栽培品目により、任意な、給水、排水、最高水位の高さ、最低水位が任意の高さに設定が可能となる事により。本発明の効果により、土耕栽培に近い根圏環境が提供され従来栽培不可能であった、イモ類、根菜類、薬草類の栽培環境の提供である。
【発明の効果】
【０００６】間欠式養液栽培なので、土耕栽培に近い栽培作物に根圏の環境提供が出来る。
脱着式サイフォンで任意に養液の給水、排水の高さが調整できる。
一つの栽培プランターにおいて、サイフォン菅の本数、内径の変更により排水速度の調整が可能である。
フレキシブル構造のサイフォンにより、任意の形状にすることにより、栽培プランター内の最頂水位位置、栽培プランター内の最低水位位置を任意の高さに、設定することが出来る。
栽培プランター内の養液をサイフォンの原理で給水、排水ができるので、電磁バルブ、水位センサー等、高価で高度なシステムが必要なく、植物工場投資コストが抑えられる。
作物に必要なときに、栽培プランター内に養液が供給され、栽培プランター内の養液がサイフォンの最頂部に到達すると同時に、サイフォンの最下部まで短時間で排水されるので、土耕栽培に近い根圏環境が再現できる。
栽培プランター内に常時養液無いので、ＮＦＴ方式、ＤＦＴ栽培方式と比較して、プランター荷重が掛からない事により構造を簡素化できる。
【発明を実施するための最良の形態】
【０００７】図１は、本発明の最良な形態を示した図であり、養液全体の流れが、サイフォン菅の効果による、間欠養液栽培の全体図である、間欠養液栽培で土耕栽培に近い根圏の環境を再現するのに適した形態である。
【図面の簡単な説明】
【０００８】
【図１】間欠養液栽培プランター全体図
【図２】脱着サイフォン菅実施図
【図３】フレキシブルサイフォン菅実施図
【符号の説明】
【０００９】１、サイフォン菅
２、栽培プランター
３、養液調整貯水タンク
４、養液ポンプ
５、逆支弁
６、栽培パネル
７、栽培作物
８、栽培培地
９、隔壁すのこ
１０、フレキシブルサイフォン菅
Ａ、ポンプアップによる水位
Ｂ、サイフォン菅吸引による水位
Ｃ、サイフォンによる養液の流れ
イ、最上段部栽培プランター
ロ、二段目栽培プランター
ハ、三段目栽培プランター
ニ、四段目栽培プランター
【図１】
2014045769.tif 000003
【図２】
2014045769.tif 000004
【図３】
2014045769.tif 000005